(57)【要約】【課題】  高感度設定中である旨の警告を確実に促し、撮影の失敗を防止する。【解決手段】  撮影者は、ＬＣＤパネル２１に表示された高感度警告設定画面から、警告の表示方法及び実施条件を予め設定しておく。静止画像を撮影する際、レリーズボタンを半押し操作すると、これに応答して、ＩＳＯ感度の設定値が検出され、デジタルカメラが高感度設定であるか否かが検知される。高感度設定である場合には、所定の実施条件に基づいて警告を実施するか否かが判定され、この判定結果に応じて警告表示が所定の表示方法で行われる。警告表示は、例えば、ＬＣＤパネル２１にアイコン８２ａ（８２ｂ）を一定時間拡大表示する視覚表示や、スピーカから警告メッセージを発する聴覚表示によって行われる。このような警告表示を行うことで、撮影者に、デジタルカメラが高感度設定中であることを認識させる。【選択図】        図４
2005260793.tif 000002
【特許請求の範囲】
【請求項１】
標準撮影モードと、標準撮影モードよりも高感度で被写体の撮影が行われる高感度撮影モードとの間でモード切り替えが可能なデジタルカメラにおいて、
シャッタボタンの押圧操作に応答して前記高感度撮影モードに切り替えられているか否かを識別し、前記高感度撮影モードに切り替えられているときには警告表示を行うことを特徴とするデジタルカメラ。
【請求項２】
前記警告表示が、撮影時の露光条件を決定するシャッタボタンの第１段押圧操作に連動して行われることを特徴とする請求項１記載のデジタルカメラ。
【請求項３】
前記警告表示が、被写体の静止画を撮影するシャッタボタンの第２段押圧操作に連動して行われることを特徴とする請求項１または２記載のデジタルカメラ。
【請求項４】
前記警告表示は、ファインダ画像または再生画像を表示する表示パネル上での視覚表示、またはスピーカによる聴覚表示によって行われることを特徴とする請求項１〜３のいずれか記載のデジタルカメラ。
【請求項５】
前記視覚表示または聴覚表示のいずれかを用いるかが設定可能であることを特徴とする請求項４記載のデジタルカメラ。
【請求項６】
前記高感度撮影モードに切り替えられているときには、電源スイッチの投入時にも前記警告表示が行われることを特徴とする１〜５のいずれか記載のデジタルカメラ。
【発明の詳細な説明】
【技術分野】
【０００１】
本発明は、標準モードと、標準モードよりも高感度で被写体の撮影が行われる高感度撮影モードとの間でモード切り替えが可能なデジタルカメラに関するものである。
【背景技術】
【０００２】
撮像光学系によって結像された被写体画像をＣＣＤイメージセンサなどで撮像し、ＣＣＤイメージセンサから出力された撮像信号から画像データを生成してメモリに記録するデジタルカメラが普及している。デジタルカメラは、光学像を写真フイルムに焼き付けるフイルムカメラと異なり、カメラ本体側の設定を行うことで、撮影画像の感度を変更できる機能を備えている。例えば、撮影者によって撮像素子の受光感度（以下、ＩＳＯ感度という）が設定された場合、デジタルカメラはＣＣＤイメージセンサを駆動し、ＩＳＯ感度の値に応じた感度で被写体画像を撮像する。また、ＩＳＯ感度の値に応じた感度となるような増幅値を設定し、この増幅値でＣＣＤイメージセンサの出力信号を増幅することで、撮影画像の感度が変更される。
【０００３】
ところで、フイルムカメラの多くは、標準及びパノラマの２つの撮影フォーマットを切り替えて撮影を行うことができる。パノラマ撮影フォーマットによる撮影（以下、パノラマ撮影と略記する）で得られる写真は、標準撮影フォーマットによる撮影（以下、標準撮影と略記する）で得られた撮影画像の上下をカットし、これをパノラマ判のサイズに引き伸ばしたものである。このようなパノラマ撮影に、フイルム粒子の荒い高感度フイルムを使用した場合、標準撮影の写真よりも画像の拡大率が大きくなり、写真全体にざらつきが生じてしまった。
【０００４】
高感度フイルムを使用したパノラマ撮影において、撮影画像の拡大により写真の画質が低下してしまうため、撮影者に対して警告を促す必要がある。例えば、特許文献１には、パノラマ撮影フォーマットへの切り替え操作に応答して、装填されているフイルムのフイルム感度を検出し、このフイルム感度が予め設定された基準感度以上であった場合に、パノラマ撮影フォーマットへの切り替えを禁止する警告を発するカメラが提案されている。
【０００５】
デジタルカメラでも、高感度設定で日中屋外などの明るいシーンを撮影した場合、Ｓ／Ｎ（Signal／Noize ）比の悪化により、撮像画像の低輝度部分（全体輝度平均を下回る部分）にノイズがのって画質が低下してしまう。このため、フイルムカメラと同様に、高感度設定において警告を発する機能を備えたデジタルカメラが提案されている。例えば、ＩＳＯ感度が高感度に設定されている間、モニタにアイコンを継続して表示する、また、高感度設定時、高感度設定に不適切な撮影モードが選択されると、モニタに、拡大されたアイコンを一定時間表示することで、警告を視覚的に表示するデジタルカメラがある。モニタのアイコンを見た撮影者は、高感度設定中であることに気付く。そして、現行の撮影シーンにおいて高感度設定を不要と判断すると、ＩＳＯ感度を所望の感度に切り替える。
【０００６】
【特許文献１】特開平８−７６２３８号公報
【発明の開示】
【発明が解決しようとする課題】
【０００７】
上述したような視覚表示によって警告を行うデジタルカメラは、撮影を行う直前あるいは瞬間に、アイコンを拡大するようなインパクトのある警告を発しない。このため、高感度設定を示すアイコンがモニタに表示されているにも関わらず、撮影者は高感度設定中であることに気付かずに撮影を実施してしまい、撮影が失敗する可能性があった。
【０００８】
本発明は、高感度設定中である旨の警告を確実に促し、撮影の失敗を防止することができるデジタルカメラを提供することを目的とする。
【課題を解決するための手段】
【０００９】
本発明のデジタルカメラは、標準撮影モードと、標準撮影モードよりも高感度で被写体の撮影が行われる高感度撮影モードとの間でモード切り替えが可能であり、シャッタボタンの押圧操作に応答して高感度撮影モードに切り替えられているか否かを識別し、高感度撮影モードに切り替えられているときには警告表示を行うことを特徴とする。
【００１０】
警告表示が、撮影時の露光条件を決定するシャッタボタンの第１段押圧操作に連動して行われるようにしても良いし、被写体の静止画を撮影するシャッタボタンの第２段押圧操作に連動して行われるようにしても良い。また、警告表示は、ファインダ画像または再生画像を表示する表示パネル上での視覚表示、またはスピーカによる聴覚表示によって行われることが好ましく、視覚表示または聴覚表示のいずれかを用いるかが設定可能であることが好ましい。さらに、高感度撮影モードに切り替えられているときには、電源スイッチの投入時にも警告表示が行われることが好ましい。
【発明の効果】
【００１１】
本発明によれば、シャッタボタンの押圧操作に応答して高感度撮影モードに切り替えられているか否かを識別し、高感度撮影モードに切り替えられているときには警告表示を行うにしたから、撮影者に対して、高感度撮影モード設定中である旨の警告を確実に促すことができ、撮影の失敗を防止できる。
【００１２】
視覚表示または聴覚表示のいずれかを用いるかが設定できるから、デジタルカメラの操作性を向上できる。
【発明を実施するための最良の形態】
【００１３】
図１に示すデジタルカメラ１０は、本体１１前面に撮影レンズが組み込まれたレンズ鏡筒１２が設けられており、本体１１上面には電源スイッチ１３及びレリーズボタン１４が設けられている。レリーズボタン１４は、２段階押圧式のスイッチとなっており、レリーズボタン１４が軽く押圧されてレリーズボタン１４の１段目がオンすると（半押し）、撮影レンズの焦点調整や露出調整などの各種撮像準備処理が行われる。次いで、レリーズボタン１４がさらに深く押し込まれてレリーズボタン１４の２段目がオンすると（全押し）、ＣＣＤイメージセンサから得られる撮像信号に基づいて被写体の静止画像データをメモリーカードに記録する撮像処理が行われる。
【００１４】
本体１１背面には、ファインダ接眼窓１５、モード切り替えスイッチ１６、汎用キー１７、メニューボタン１８、キャンセルボタン１９、ディスプレイボタン２０、ＬＣＤパネル２１、スピーカ２２が設けられている。ファインダは、対物レンズと接眼レンズとからなる光学系ファインダとなっている。ファインダ接眼窓１５の図中左には、警告ランプ２３が設けられている。撮影者はファインダを覗きながら、警告ランプ２３の点灯を確認することができる。
【００１５】
モード切り替えスイッチ１６は、撮像処理を行う撮影モードと、メモリーカードの記録画像をＬＣＤ（Liquid Crystal display）パネル２１に再生表示する再生モードとを切り替える。ＬＣＤパネル２１は、再生モードの際に再生画像を表示する他、撮影モードの際には被写体確認用のスルー画を表示する電子ビューファインダとしても機能する。また、ＬＣＤパネル２１は、各種設定を行う設定画面を表示する。
【００１６】
メニューボタン１８を押下すると、ＬＣＤパネル２１に設定画面が表示され、撮影モードあるいは再生モードからセットアップモードへ移行する。この設定画面では、「記録画素数」、「ＩＳＯ感度」、「シーンセレクト」などの画質調整に関する項目や、「日付／時刻」、「言語」、「高感度警告」などの画質調整以外の項目の設定が行われる。デジタルカメラ１０は、この設定画面で設定された条件に応じて動作する。メニューボタン１８は、選択した項目や処理を確定したり実行するための確定／実行ボタンとしても機能する。
【００１７】
汎用キー１７は、再生する画像を選択したり、設定画面内のカーソルを移動するカーソルシフトキーとして機能する。汎用キー１７は、カーソルを左右方向に移動させる左シフトキー１７ａ及び右シフトキー１７ｃ、上下方向に移動させる上下シフトキー１７ｂからなる。左右の各シフトキー１７ａ，１７ｃは、押しボタン式であり、上下シフトキー１７ｂは、水平方向の軸を中心に上下方向に揺動自在に設けられている。また、上下シフトキー１７ｂは、撮影モードで動作している場合には、ズームボタンとして機能する。キャンセルボタン１９は、選択した項目や操作をキャンセルする。ディスプレイボタン２０は、ＬＣＤパネル２１をオン／オフするボタンである。
【００１８】
「ＩＳＯ感度」の設定画面には、例えば「１００」、「２００」、「４００」、「８００」、「１６００」、「ＡＵＴＯ」の選択可能なＩＳＯ感度が表示される。また、「シーンセレクト」の設定画面には、例えば「ポートレート」、「風景」、「スポーツ」、「夜景」の選択可能な撮影モードが表示される。これらの選択は、カーソルを移動して所望の項目を選択した後、再度メニューボタン１８を押下すると、選択した内容が確定され設定される。そして、ＬＣＤパネル２１から、設定画面が消え、元の画面に復帰する。
【００１９】
図２は、デジタルカメラ１０の電気構成の概略を示すブロック図である。システムコントローラ４１は、デジタルカメラ１０の各部を制御する。ＲＯＭ４２には、制御プログラムや、設定画面などの各種画面データが記憶されている。システムコントローラ４１は、操作部（レリーズボタン１４、汎用キー１７、メニューボタン１８など）４４から入力される操作信号に基づいて、制御プログラムに記述されるステップに従って制御を行う。ＲＡＭ４３は、システムコントローラ４１が制御プログラムを実行するための作業用のメモリである。
【００２０】
レンズ鏡筒１２内には、ズームレンズ４５及びフォーカスレンズ４６からなる撮影レンズと、絞り機構４７とが組み込まれている。ズームレンズ４５及びフォーカスレンズ４６は、ドライバ回路を備えたズームモータ４８及びフォーカスモータ４９によって光軸方向に沿って移動され、光学撮影倍率の変更と、焦点調整とが行われる。絞り機構４７は、ドライバ回路を備えたアクチュエータ５０によって駆動され、絞り径が切り換えられる。
【００２１】
フォーカスレンズ４６の背後には、ＣＣＤイメージセンサ５１が配置されている。ＣＣＤイメージセンサ５１は、周知のように、多数の受光素子をマトリックス状に配列された光電面を備えており、撮影レンズ４５，４６及び絞り機構４７を通過して光電面に結像した被写体光を光電変換する。
【００２２】
ＣＣＤイメージセンサ５１は、ＣＣＤドライバ５２によって駆動される。ＣＣＤイメージセンサ５１の電荷蓄積時間（露出時間）は、ＣＣＤドライバ５２から供給され、「ＩＳＯ感度」の設定画面で選択された感度に基づいて決定される電子シャッタ駆動信号に応じて決められる。そして、ＣＣＤドライバ５２から供給される垂直転送クロック及び水平転送クロックに同期して、画素毎に蓄積された電荷が１ラインずつシリアルな撮像信号として出力される。
【００２３】
ＣＣＤイメージセンサ５１から出力された撮像信号は、相関二重サンプリング処理によってノイズが除去されとともに、アンプ５３を介してＡＤコンバータ５４に入力される。アンプ５３では、「ＩＳＯ感度」の設定画面で選択された感度となるように増幅値が設定され、この増幅値に基づいて撮像信号の増幅が施される。Ａ／Ｄコンバータ５４は、増幅された撮像信号をデジタル変換して画像データを生成し、これを画像データ処理回路５５に入力する。
【００２４】
画像データ処理回路５５は、入力された画像データに対して、マトリックス演算処理、ホワイトバランス調節、ガンマ補正などの各種画像処理を施す。画像処理済みの画像データは、フレームメモリ５６に一時的に記憶される。ＬＣＤパネル２１には、このフレームメモリ５６に記憶された画像データが出力されてスルー画が表示される。
【００２５】
撮像処理が実行されると、フレームメモリ５６に記憶されている画像データが圧縮伸張回路５７へ送られる。圧縮伸張回路５７は、画像データに対して圧縮処理を施し、これをリードライト回路５８へ出力する。リードライト回路５８は、圧縮された画像ファイルをメモリーカード５９へ書き込む。再生モードでは、リードライト回路５８がメモリーカード５９から画像ファイルを読み出した後、圧縮伸張回路５７によって伸張処理が施され、ＬＣＤパネル２１に出力される。
【００２６】
ＡＦ回路６０は、フレームメモリ５６の記憶画像データに基づいて焦点位置を検出する。焦点位置検出方式としては、例えば、ピントが合った状態では画像のコントラストが高くなるという特徴を利用して焦点位置を検出するパッシブ方式が採用されている。
【００２７】
ＡＥ／ＡＷＢ回路６１は、フレームメモリ５６の記憶画像データに基づいて被写体輝度を測定し、この測定値から、絞り値や露出時間、図示しないストロボを発光させるか否か（ストロボ発光の有無）、及び、ホワイトバランス補正値を演算により求める。
【００２８】
ＡＦ回路６０及びＡＥ／ＡＷＢ回路６１によって求められた焦点位置、絞り値、露出時間などの露光条件は、システムコントローラ４１によってＲＡＭ４３に書き込まれる。システムコントローラ４１は、この露光条件と、前記設定画面で設定された条件とに基づいて各部を動作させ、撮像処理を実行する。
【００２９】
デジタルカメラ１０は、ＩＳＯ感度が、例えば、「４００」より小さい値に設定された場合、標準感度設定であり、「４００」以上に設定された場合、高感度設定であるとする。撮影者によってレリーズボタン１４が押圧されると、これに応答してＩＳＯ感度の設定値が検出され、デジタルカメラ１０が高感度設定であるか否かが判定される。高感度設定である場合には、デジタルカメラ１０が高感度設定中である旨の警告表示が行われる。
【００３０】
デジタルカメラ１０には警告タイプ設定用メモリ６２が設けられており、この警告タイプ設定用メモリ６２には、ＬＣＤパネル２１に、「高感度警告」の設定画面（以下、高感度警告設定画面という）を表示するための画面データが記憶されている。撮影者は、この高感度警告設定画面から、高感度設定における警告の表示方法及び実施条件を設定できる。
【００３１】
高感度警告設定画面は、２つのサブ画面７１，７２から構成されており、図３（Ａ）に示すように、サブ画面７１は、表示方法設定画面であり、図３（Ｂ）に示すように、サブ画面７２は、実施条件設定画面である。これら２つのサブ画面７１，７２は、選択的に表示される。選択されていないサブ画面のタグは、グレイアウトして表示される。これら各サブ画面７１，７２の切り替えは、左右シフトキー１７ａ，１７ｃによって行われる。
【００３２】
サブ画面７１には、例えば「アイコン」、「メロディ」、「ランプ」などの選択可能な表示方法が示される。各表示方法の左側には、チェックボックス７３が設けられている。カーソル７４を移動していずれかの表示方法が選択され、該当表示方法のチェックボックス７３がチェックされることで、警告の表示方法が設定される。撮影者は、同様の操作により複数の表示方法を設定する。
【００３３】
各表示方法の内容について説明する。「アイコン」がチェックされた場合、警告を表すアイコンがＬＣＤパネル２１に表示される。「音声」がチェックされた場合、警告音発生回路６４が駆動され、スピーカ２２から警告メッセージが発せられる。「ランプ」がチェックされた場合、警告ランプ２３が点灯される。複数の表示方法がチェックされた場合、複数の警告表示が同時に実施される。
【００３４】
チェック済みの表示方法にカーソル７４を合わせた状態で、右シフトキー１７ｃを押圧すると、各表示方法の右側には、各表示方法の詳細設定画面７５が表示される。この詳細設定画面７５では、各表示方法毎の表示方法が設定される。図３（Ａ）に示すように、アイコンの詳細設定画面７５には、例えば「拡大」、「点滅」、「グラデーション」などの選択可能なアイコン表示方法が表示される。カーソル７６を移動してこれらのいずれかを選択することでアイコン表示方法が設定される。
【００３５】
図４は、表示方法に「アイコン」が選択され、選択した「アイコン」の表示方法に「拡大」が選択されたときの警告表示を示す。この場合、モード切り替えスイッチ１６を操作して撮影モードが設定されると、ＬＣＤパネル２１が自動的にオンされ、これにスルー画が表示される。ＬＣＤパネル２１には、スルー画の他に、ＩＳＯ感度が高感度設定である場合、高感度設定中である旨を報知するアイコン８２ａ（図４（Ａ）中点線で示す）が表示される。
【００３６】
静止画撮影では、ピントを合わせたい被写体８１ａを撮影フレーム中央に配置し、この状態でレリーズボタン１４を半押しする。このとき、アイコン８２ａは、サイズが徐々に拡大しつつ、その位置がＬＣＤパネル２１左上から中央に移動したアイコン８２ｂになる。このアイコン８２ｂは、図４（ａ）の状態を一定時間保持すると、元のアイコン８２ａの状態（ＬＣＤパネル２１左上での最小サイズ）に戻る。この後、図４（Ｂ）に示すように、撮影フレームの中心を被写体８１ａと被写体８１ｂとの間に合わせ（フレーミング）、レリーズボタン１４を全押しして撮影を行う。アイコン８２ｂがＬＣＤパネル２１中央で最大サイズを保持する時間は、撮影者によって設定可能であり、フレーミングの邪魔になることはない。
【００３７】
図３（Ｂ）において、サブ画面７２には、例えば「ＯＦＦ」、「輝度設定」、「ポートレート」、「風景」、「スポーツ」、「夜景」などの選択可能な実施条件が表示される。これら各実施条件の選択は、表示方法の選択と同様にカーソル７８によって行われ、所望の実施条件のチェックボックス７７がチェックされることで、警告の実施条件が設定される。表示方法の設定と同様に、複数の実施条件を設定可能とする。
【００３８】
各実施条件の内容について説明する。「ＯＦＦ」がチェックされた場合、高感度設定における警告の機能自体が停止され、警告表示は否応なしに禁止される。「輝度設定」がチェックされた場合、被写体の画像データに基づく被写体輝度に応じて警告を実施するか否かが判定される。被写体輝度は、例えば、輝度検出回路６３によって検出される。画像データ処理回路５５は、システムコントローラ４１の命令を受けて、画像処理済みの画像データを輝度検出回路６３に送る。輝度検出回路６３は、入力された画像データから被写体輝度を測定し、この測定輝度値が予め設定された基準輝度値を上回るときに警告実施信号をシステムコントローラ４１に送る。一方、測定輝度値が基準輝度値と等しい、または基準輝度値を下回るときには、警告実施信号は送られない。システムコントローラ４１は、デジタルカメラ１０が高感度設定であるとともに、輝度検出回路６３から警告実施信号を受信した場合に、高感度設定中である旨の警告を、予め設定された表示方法で行う。
【００３９】
実施条件の項目「ポートレート」、「風景」、「スポーツ」、「夜景」は、いずれも撮影モードの項目を表している。デジタルカメラ１０が高感度設定であるとともに、実施条件に設定された撮影モードが設定されている場合に、高感度設定における警告表示は行われる。デジタルカメラ１０では、デフォルトで、例えば「スポーツ」が設定される。
【００４０】
以下、上記構成による作用について説明する。撮影者は、予め、高感度設定における警告の表示方法及び実施条件を設定しておく。警告の表示方法及び実施条件の設定では、まず、ＬＣＤパネル２１に、サブ画面７１，７２から構成された高感度警告設定画面を表示する。撮影者は、複数の表示方法が表示されるサブ画面７１で「アイコン」及び「メロディ」を選択する。選択された「アイコン」の表示方法には「拡大」を選択する（図３（Ａ））。また、複数の実施条件が表示されるサブ画面７２で「輝度設定」を選択する。「輝度設定」の他には、デフォルトとして予め「スポーツ」が選択されている（図３（Ｂ））。
【００４１】
静止画像を撮影する際、まず、撮影者によってレリーズボタン１４が半押しされ、撮像処理を行うための露光条件が設定される。この露光条件の設定と同時に、デジタルカメラ１０が高感度設定であるか否かの判定が行われる。この判定結果が高感度設定である場合、予め設定された実施条件に基づいて警告表示を行うか否かの決定がなされる。
【００４２】
実施条件に「輝度設定」及び「スポーツ」が設定されている場合、まず、現行の撮影モードが検出される。現行の撮影モードにスポーツモードが設定されている場合、警告表示が行われる。一方、スポーツモードより他の撮影モードが設定されている場合、被写体の画像データから被写体輝度を測定する。そして、この測定輝度値が基準輝度値を上回る場合、警告表示が行われる。一方、測定輝度値が基準輝度値と等しかったり下回る場合、警告表示は行われない。
【００４３】
警告表示は、予め設定された各表示方法で同時に行われる。「アイコン」の警告表示では、ＬＣＤパネル２１にアイコン８２ａ（８２ｂ）が一定時間拡大表示される（図４（Ａ））。「メロディ」の警告表示では、スピーカ２２から警告メッセージが発っせられる。これら警告表示が行われることで、撮影者は、デジタルカメラ１０が高感度設定であることを認識し、撮影環境において高感度設定が不要であればＩＳＯ感度を切り替える。この後、撮影者によってレリーズボタン１４が全押しされると、撮像処理が実行され、被写体の静止画がメモリーカード５９に記録される。
【００４４】
上述したとおり、高感度設定における警告表示を、レリーズボタン１４の押圧操作に応答して行うようにしたので、撮影者は確実に高感度設定中であることを認識でき、失敗のない撮影を行うことができる。また、アイコン８２ｂ（８２ｂ）や警告ランプ２３による視覚表示、及び、警告音による聴覚表示の少なくともいずれか一方が選択可能であり、さらに、警告表示の実施条件を選択可能にしたから、デジタルカメラ１０の操作性を向上できる。
【００４５】
上記実施形態では、ＬＣＤパネル２１にアイコン８２ａ（８２ｂ）を表示することで警告表示を行ったが、アイコンの代わりに、文字や画像を表示しても良い。また、スピーカ２２から警告メッセージを発生したが、警告メッセージの代わりビープ音などの警告音を発生しても良い。
【００４６】
上記実施形態では、実施条件「ポートレート」、「風景」、「スポーツ」などの優先順位を高くし、まず、現行の撮影モードの検出を行って現行の撮影モードが実施条件に設定された撮影モードに該当するか否かを検知し、次に、被写体の画像データに基づく被写体輝度値が基準輝度値を上回るか否かを判定するようにしたが、各実施条件を判定する順序はこれに限定されない。
【００４７】
上記実施形態では、レリーズボタン１４の半押し操作に応答して警告表示を行うようにしたが、全押し操作に応答して行っても良い。この場合、警告表示は、半押し操作の場合と同じでなくても良い。例えば、ＬＣＤパネル２１に、被写体の画像データを低輝度部分が自動的に拡大するように表示する。これにより、撮影者に対して撮影画像データの確認を促す。
【００４８】
上記実施形態では、レリーズボタン１４の半押し操作に応答して、警告表示を一度行うだけであったが、警告表示は一度に限定されず、半押し操作に加え、例えば、電源立ち上げ操作や、動作モード及び撮影モードの切り替え操作に応答して警告表示を行っても良い。
【００４９】
上記実施形態では、実施条件に撮影モードの項目を含め、実施条件に設定された撮影モード下では警告表示を行うようにしたが、撮影モードの項目の他、ストロボモードの項目を含めても良い。ストロボモードの項目としては、例えば「オート」、「強制発光」、「スローシンクロ」などがある。この場合、デフォルトで、例えば「強制発光」を設定すると良い。
【００５０】
上記実施形態では、静止画を撮影するデジタルスチルカメラを例に説明したが、動画を記録するビデオカメラに適用しても良い。
【図面の簡単な説明】
【００５１】
【図１】デジタルカメラの外観斜視図である。
【図２】デジタルカメラの電気構成を示すブロック図である。
【図３】高感度警告設定画面の説明図である。
【図４】表示方法「アイコン」の警告表示を示す説明図である。
【符号の説明】
【００５２】
１０  デジタルカメラ
１３  電源スイッチ
１４  レリーズボタン
１６  モード切り替えスイッチ
２１  ＬＣＤパネル
２２  スピーカ
４１  システムコントローラ
６２  警告タイプ設定用メモリ
７１，７２  サブ画面
【図１】
2005260793.tif 000003
【図２】
2005260793.tif 000004
【図３】
2005260793.tif 000005
【図４】
2005260793.tif 000006